(57)【要約】【課題】紙に書かれた文字や描線が水で滲まない水性染料インキ組成物を提供すること。特に、水性糊にて表装をした際などに、筆跡や描画跡が滲まない水性染料インキ組成物を提供すること。【解決手段】水と黒色染料を２〜２０重量％、赤色染料を０．０２〜２重量％、脂肪族４級アンモニウム塩を０．０２〜２重量％少なくとも含むもの。【選択図】　なし【特許請求の範囲】
【請求項１】
水と黒色直接染料と赤色酸性染料と次の構造式で示される脂肪族４級アンモニウム塩を含む黒色水性染料インキ組成物。
【化１】
2004123798.tif 000007
【化２】
2004123798.tif 000008
【発明の詳細な説明】
【０００１】
【発明の属する技術分野】
本発明は、黒色水性染料インキ組成物に関するものであり、更に詳細には、紙に筆記した文字や描線が水に濡れてもその周りに赤色酸性染料分が滲み出てこない黒色水性染料インキに関する。
【０００２】
【従来の技術】
従来、水性染料インキ組成物は、水可溶性の直接染料、酸性染料や塩基性染料を水性媒体中に溶解し、湿潤剤、ｐＨ調整剤、防腐剤等の添加剤を加えてなることが知られている。（非特許文献１参照）
【０００３】
【非特許文献１】
（社）有機合成化学協会　編「染料便覧」（株）丸善（株）、１９５７年７月２０日（第２３７頁〜第２３９頁）
【０００４】
【発明が解決しようとする課題】
しかしながら、これら水性染料インキ組成物は紙に筆記した文字や描線が水に濡れると滲んでしまうという問題がある。特に補色の為に赤色酸性染料を用いた水性染料インキ組成物にて筆記した作品に水性糊を塗り、台紙に貼り付ける表装をおこなうと、糊の水分により筆記した文字や描線から赤色酸性染料分がその周りに滲みでてしまい、作品を台無しにしてしまう。
本発明は、上記問題点を解決するためになされたものであり、紙に筆記した文字や描線が水に濡れても赤色酸性染料分がその周りに滲み出てこない黒色水性染料インキ組成物を提供することを目的とする。
【０００５】
【課題を解決するための手段】
本発明は、水と黒色直接染料と赤色酸性染料と次の構造式で示される脂肪族４級アンモニウム塩を含む黒色水性染料インキ組成物を要旨とする。
【０００６】
【化３】
2004123798.tif 000002
【０００７】
【化４】
2004123798.tif 000003
【０００８】
以下に本発明の各成分について詳細に説明する。
黒色直接染料は着色剤として使用するものである。従来公知の黒色直接染料の中から、黒色水性染料インキ中に安定に溶解し得るものを１種または２種以上を適宣選択して用いることができる。尚、黒色直接染料は、水により安定に溶解させる為に、塩酸等の酸性物質により精製したものを用いることが好ましい。その使用量は、染料の種類や他のインキ成分により異なるものの、黒色水性染料インキ組成物全量に対して１〜３０重量％が好ましい、より好ましくは２〜２０重量％である。
【０００９】
赤色酸性染料は補色剤として使用するものである。従来公知のアシッド　レッドの中から、黒色水性染料インキ組成物中に安定に溶解し得るものを１種または２種以上を適宣選択して用いることができる。その使用量は、染料の種類や他のインキ成分により異なるものの、水性染料インキ組成物全量に対して０．０１〜３０重量％が好ましい。また、黒い色を引き立たせる補色剤して使用する場合、染料の種類や他のインキ成分により異なるものの、黒色水性染料インキ組成物全量に対して０．０１〜３重量％が好ましい、より好ましくは０．００２〜２重量％である。
【００１０】
本発明の骨子である脂肪族４級アンモニウム塩は、赤色酸性染料の滲み防止剤として使用するものであり、具体的にはドデシルトリメチルアンモニウムクロライド、ヘキサデシルトリメチルアンモニウムクロライド、オクタデシルトリメチルアンモニウムクロライド、ドコセニルトリメチルアンモニウムクロライド、テトラデシルジメチルベンジルアンモニウムクロライド、オクタデシルジメチルベンジルアンモニウムクロライド等がは２種以上を適宣選択して用いることができる。その使用量は、脂肪族４級アンモニウム塩の種類や他のインキ成分により異なるものの、黒色水性染料インキ組成物全量に対して０．０１〜３重量％が好ましい、より好ましくは０．０２〜２重量％である。
【００１１】
以上に示した成分以外に必要に応じて、ｐＨ調整材、防腐剤、防黴剤、湿潤剤、粘度調整剤、凍結防止剤、ペン先乾燥防止剤、消泡剤、または各種溶剤など、種々の添加剤を適宣選択して使用することができる。尚、本発明の黒色水性染料インキ組成物の製造方法は、各成分を必要量混合し、ホモミキサー、ラボミキサー等の高速撹拌機にて混合・溶解することにより容易に得ることができる。
【００１２】
【作用】
本発明において黒色直接染料と赤色酸性染料は、カルボン酸基またはスルホン酸基の末端に金属イオンを結合させることにより、水に溶解させるようにしている。この為、紙に書かれた文字や描線は、乾燥後も水に再溶解して滲んでしまう。特に赤色酸性染料は分子量が黒色直接染料より分子量が小さいために、ペーパークロマト現象により外側に滲み出てしまう。この中に脂肪族４級アンモニウム塩を加えることにより、これら染料のカルボン酸基またはスルホン酸基末端が脂肪族４級アンモニウムイオンに置換される。脂肪族４級アンモニウムイオンがついた染料は、水に溶けにくくなることにより、紙に書かれた文字や描線は、乾燥後も水に再溶解しにくくなる為、滲みにくくなる。
【００１３】
【実施例】
以下に本発明を実施例に従って更に詳細に説明する。
実施例１
ＷＡＴＥＲ　ＢＬＡＣＫ　１００−Ｌ（Ｃ．Ｉ．Ｄｉｒｅｃｔ　Ｂｌａｃｋ
１９を精製した２０％水溶液、オリエント化学工業（株）製）　５０．０重量部
ＷＡＴＥＲ　ＲＥＤ　１（Ｃ．Ｉ．Ａｃｉｄ　Ｒｅｄ　１８、オリエント化学
工業（株）製）　　　　　　　　　　　　　　　　　　　　　　　０．５重量部
ニッサンカチオン　ＡＢ（オクタデシルトリメチルアンモニウムクロライド、
日本油脂（株）製）　　　　　　　　　　　　　　　　　　　　　０．２重量部
プロピレングリコール　　　　　　　　　　　　　　　　　　　８．０重量部
プロクセルＧＸＬ（１，２−ベンゾイソチアゾリン−３−オン２０％含有の水
溶液、アビシア（株）製）　　　　　　　　　　　　　　　　　　０．２重量部
水　　　　　　　　　　　　　　　　　　　　　　　　　　　４１．１重量部
上記成分をラボミキサーにて１時間撹拌して水性染料インキ組成物を得た。
【００１４】
2004123798.tif 000004
上記成分をラボミキサーにて１時間撹拌して水性染料インキ組成物を得た。
【００１５】
2004123798.tif 000005
上記成分をラボミキサーにて１時間撹拌して水性染料インキ組成物を得た。
【００１６】
比較例１
実施例１において、ニッサンカチオン　ＡＢを除き、水を４１．２重量部に変えた以外は実施例１と同様になして黒色水性染料インキを得た。
【００１７】
比較例２
実施例３において、　ニッサンカチオン　Ｓ２−１００　０．１重量部をノナール２１０（ポリオキシエチレンノニルフェニルエーテル、東邦化学工業（株）製）０．１重量部に変えた以外は実施例３と同様になして黒色水性染料インキを得た。
【００１８】
にじみ試験
ぺんてる筆にインキを充填し、特選書道半紙（大高製紙（株）製）を試験用紙に用い、筆記１時間後、ぺんてる（株）製「コロピタ」（ＥＲ１０１−ＳＤ）糊液を水で２倍に希釈したものを試験用紙裏面全体に塗布し、ＪＩＳ　Ｐ　５８０８に規定する筆記用紙Ａに貼りつけ、乾燥後の筆跡の滲みの様子を目視確認した。結果を表１に示す。
【００１９】
【表１】
2004123798.tif 000006
【００２０】
【発明の効果】
本発明は、紙に書いた文字や描線が水での耐滲み性に優れたものである。